(57)【要約】【課題】構造が簡単でコストが安価なテープ台を提供する。【解決手段】本体１０、テープカッター２０および閉鎖体３０を含む。本体１０は、一体成形による中空構造で、片側にテープ配置部１１を設けている。テープ配置部１１は、本体１０と接続する位置に収納部１２を設けている。本体１０は、内部と連通する開口１５を設け、砂、セメントなど重量のある物を充填する。テープカッター２０は、カッター配置部１４内に配置され、ノコギリ状を呈しテープ４０を切断するのに用いられ刃２１を有する。閉鎖体３０は、開口１５を閉鎖する。テープ４０は、本体１０の前記収納部１２に配置されている。一体成形による中空構造で、テープ配置部、収納部およびカッター配置部が単一のデバイスであるため、コストを削減することができる。【選択図】図１
0003193304.tif 000002
【実用新案登録請求の範囲】
【請求項１】
一体成形による中空構造で、片側にテープ配置部を設け、前記テープ配置部と接続する位置に収納部を設け、カッター配置部を一方の端部に設け、本体または前記テープ配置部に開口を設け前記、開口は本体または前記テープ配置部と内部で連通し、前記開口は本体または前記テープ配置部に砂、セメントなど重量のある物を充填する本体と、
前記カッター配置部内に配置され、ノコギリ状を呈しテープを切断するのに用いられ刃を有するテープカッターと、
前記本体の前記収納部に配置されたテープと、
前記開口を閉鎖する閉鎖体と、を含むことを特徴とするテープ台。
【請求項２】
前記本体は、セラミックまたはガラスを用いての一体成形による中空構造で、前記開口から砂、セメントなど重量のある物を充填することを特徴とする請求項１に記載のテープ台。
【請求項３】
前記収納部は、間隔をおいて環状に配列する二つの凸縁および二つの垂直部を設け前記垂直部は前記本体上の二つの相対する位置に設けられていることを特徴とする請求項１に記載のテープ台。
【請求項４】
前記テープ配置部は、ストッパーを端部に設け、前記ストッパーは上端縁および下端縁にそれぞれ第１の凸縁および第２の凸縁を設け、前記第１の凸縁は高さが前記第２の凸縁より高いことを特徴とする請求項１に記載のテープ台。
【請求項５】
前記カッター配置部は、溝状を呈し、前記収納部と向き合い、刃を嵌合するのに用いる第１の凸部および第２の凸部を設けていることを特徴とする請求項１に記載のテープ台。
【請求項６】
前記開口は、オ(雄)ネジを設け、前記閉鎖体を螺着させて前記開口を閉鎖することを特徴とする請求項１に記載のテープ台。
【請求項７】
前記収納部は、前記凸縁が弧形、V字型またはＵ字型を呈し、前記テープを前記収納部の中央部に配置し、前記テープカッターに向かい合わせることを特徴とする請求項４に記載のテープ台。
【請求項８】
前記テープカッターは、カッターホルダーを有し、前記刃は凸縁状を呈する第１の嵌合部を有し、湾曲一体成形され、Ｎ字型を呈し、前記カッターホルダーは相互に枢接する二つの箱型を呈し、ケース片側を凸設し、第２の嵌合部を凹設し、蓋をすると前記刃を挟み込み、第１の嵌合部を第２の嵌合部に嵌合させ、前記刃を結合させ、前記カッター配置部に配置されることを特徴とする請求項１に記載のテープ台。
【請求項９】
前記テープ配置部は、単一のデバイスで、前記本体は凹状または凸状の第１の結合部を設け、前記テープ配置部は前記第１の結合部に固設されていることを特徴とする請求項１に記載のテープ台。
【請求項１０】
前記テープ配置部は、前記ストッパーを端部に設け、前記ストッパーが突起状で前記テープ配置部の端部に設けられているか、突起を有する前記ストッパーが前記テープ配置部の端部の周りに部分的に設けられているか、突起を有する前記ストッパーが前記テープ配置部の端部の周りに設けられているかのいずれかであることを特徴とする請求項１に記載のテープ台。
【請求項１１】
前記本体は、湾曲部を設け、前記本体の長さを伸縮させ、前記湾曲部は前記本体と前記カッター配置部との間に設けられるか、前記本体の底部に設けられるか、前記収納部に設けられて前記収納部の幅を伸縮させることを特徴とする請求項１に記載のテープ台。
【請求項１２】
二つの収納部を設け、前記カッター配置部に近い前記収納部に前記直径の小さいテープが配置され、前記もう一つの収納部に前記直径の大きいテープが配置されることを特徴とする請求項１に記載のテープ台。
【請求項１３】
前記本体は、両側にそれぞれ前記テープ配置部および前記カッター配置部を設け、前記テープ配置部にテープが配置されることを特徴とする請求項１に記載のテープ台。
【請求項１４】
前記本体は、両端にそれぞれ前記カッター配置部を設けていることを特徴とする請求項１に記載のテープ台。
【考案の詳細な説明】
【技術分野】
【０００１】
本考案は、テープ台に関し、特に、構造が簡単でコストが安価なテープ台に関する。
【背景技術】
【０００２】
従来のテープ台は、特許文献１に開示されているとおり、底箱、テープ台上部、吸盤を含む。テープ台上部は、中央にテープを配置する回転軸を設け、前端にカッターを設けている。底箱は、中空で、上方に抜ける収納部を内部に成形し、文房具などを収納する。底箱の頂縁には、嵌合上部が設けられ、底部には、複数の穴が設けられている。
テープ台上部の底縁には、嵌合下部が設けられ、底箱の嵌合上部と嵌合してテープ台上部を底箱に重ねる。吸盤は、頂部に突起を有し、底箱の穴に嵌合されることにより、底箱の下部に配置され、テープ台を固定する。テープ台が中空で、テープが粘着性を有するため、ユーザーのテープを引く力がテープ台に前方および上方に向かう力を加え、テープ台を前方にスライド移動させることが多かった。テープ台のスライド移動を防止するには、テープ台内に重量のある物を充填する必要があった。
【０００３】
以上のように、従来のテープ台には、以下の短所があった。
１・テープ台が中空であるため、底箱、テープ台上部および回転軸の三つのデバイスを組み合わせなければならず、コストが割高だった。
２・底箱の頂縁の断面と、テープ台上部の底縁の断面とが完全に一致しなければならず、プラスチック成形において誤差が生まれやすく、歩留まり率が良くなかった。
３・テープ台内で回転軸を配置する孤形空間の成形には、金型内に移動ブロックを設けなければならず、コストを増加させていた。
【先行技術文献】
【特許文献】
【０００４】
【特許文献１】米国特許第６３１１９２３号
【考案の概要】
【考案が解決しようとする課題】
【０００５】
本考案の目的は、上述した従来のテープ台の短所に鑑みてなされたもので、構造が簡単でコストが安価なテープ台を提供することにある。
【課題を解決するための手段】
【０００６】
上述の目的を達成するため、本考案のテープ台は、本体、テープカッターおよび閉鎖体を含み、本体は、一体成形による中空構造で、片側にテープ配置部を設け、テープ配置部は、本体と接続する位置に収納部を設けている。
本体は、内部と連通する開口を設け、砂、セメントなど重量のある物を充填する。テープカッターは、カッター配置部内に配置され、テープを切断する刃を有する。閉鎖体は、開口を閉鎖する。一体成形による中空構造で、テープ配置部、収納部およびカッター配置部が単一のデバイスであるため、コストを削減することができる。
【考案の効果】
【０００７】
本考案のテープ台は、一体成形による中空構造で、テープ配置部、収納部およびカッター配置部が単一のデバイスであるため、コストを削減することができる。
本体は、薄型の中空構造で、表面に小さな模様、文字、マークなどを有することにより、美しい外観を有することができる。本体は、開口を設けるだけで砂、セメントなど重量のある物を内部に充填することができ、製造工程を簡単で迅速にすることができる。
金型の分割線を本体の垂直部に設けることにより、本体上下においてより小さければ金型を開けることができ、本体の外形を変化に富んだものにすることができる。
【図面の簡単な説明】
【０００８】
【図１】本考案の第1の実施形態によるテープ台を示す斜視図である。
【図２】本考案の第1の実施形態によるテープ台を示す俯瞰図である。
【図３】Ａ−Ａ面における断面図である。本考案の篩い盤を示す斜視図である。
【図４】本考案のテープカッターを示す分解斜視図である。
【図５】本考案のテープカッターを示す斜視図である。
【図６】本考案のテープ台にテープを配置した状態を示す斜視図である。
【図７】本考案のテープ台にテープを配置した状態を示す俯瞰図である。
【図８】図７のＢ−Ｂ面における断面図である。
【図９】図７のＣ−Ｃ面における断面図である。
【図１０】本考案の第２の実施形態によるテープ台を示す斜視図である。
【図１１】本考案の第２の実施形態による刃を示す側面図である。
【図１２】本考案の第３の実施形態によるテープ台を示す分解斜視図である。
【図１３】本考案の第４の実施形態によるテープ台を示す斜視図である。
【図１４】本考案の第５の実施形態によるテープ台を示す斜視図である。
【図１５】本考案の第５の実施形態による刃を示す側面図である。
【図１６】本考案の第６の実施形態によるテープ台を示す分解斜視図である。
【図１７】本考案の第６の実施形態による刃を示す側面図である。
【図１８】本考案の第７の実施形態によるテープ台を示す斜視図である。
【図１９】本考案の第８の実施形態によるテープ台を示す分解斜視図である。
【図２０】本考案の第９の実施形態によるテープ台を示す斜視図である。
【図２１】本考案の第１０の実施形態によるテープ台を示す斜視図である。
【図２２】本考案の第１１の実施形態によるテープ台を示す斜視図である。
【図２３】本考案の第１２の実施形態によるテープ台を示す分解斜視図である。
【図２４】本考案の第１３の実施形態によるテープ台を示す分解斜視図である。
【図２５】本考案の第１３の実施形態によるテープ台を示す斜視図である。
【図２６】本考案の第１４の実施形態によるテープ台を示す斜視図である。
【図２７】本考案の第１４の実施形態によるテープ台を示す俯瞰図である。
【図２８】本考案の第１４の実施形態によるテープ台を示す側面図である。
【図２９】本考案の第１５の実施形態によるテープ台を示す斜視図である。
【図３０】本考案の第１６の実施形態によるテープ台を示す分解斜視図である。
【図３１】本考案の第１７の実施形態によるテープ台を示す分解斜視図である。
【図３２】本考案の第１８の実施形態によるテープ台を示す斜視図である。
【図３３】本考案の第１９の実施形態によるテープ台を示す斜視図である。
【考案を実施するための形態】
【０００９】
以下、本考案の実施形態を図面に基づいて説明する。
【００１０】
図１を参照して説明する。図１は、本考案の第1の実施形態によるテープ台を示す斜視図である。図１に示すように、本考案のテープ台は、本体１０、テープカッター２０および閉鎖体３０を含む。
【００１１】
本体１０は、ブロー成形、回転成形、セラミックまたはガラスを用いての一体成形による中空構造で、片側にテープ配置部１１を設けている。テープ配置部１１は、本体１０と接続する位置に収納部１２を設けている。収納部１２は、間隔をおいて環状に配列する二つの凸縁１２１および二つの垂直部１２２を設けている。垂直部１２２は、本体１０上の相対するように設けられている。テープ配置部１１は、凸縁状のストッパー１３を端部に設けている。本体１０は、収納部１２と向き合い、溝状を呈するカッター配置部１４を一方の端部に設けている。本体１０は、内部と連通する開口１５を設けている。
開口１５は、砂、セメントなど重量のある物を充填するのに用いられる。テープカッター２０は、カッター配置部１４も設けている。テープカッター２０は、テープ４０を切断するのに用いられる。テープカッター２０は、本体１０の中空成形後にカッター配置部１４に配置されるか、本体１０の金型内に配置されて本体１０が成形されるとカッター配置部１４に結合されるかのどちらかである。閉鎖体３０は、シールであり、開口１５と結合して閉鎖するのに用いられる。テープ４０は、押すことにより収納部１２に配置される。
【００１２】
図１、図２および図３を参照して説明する。図２は、本考案の第1の実施形態によるテープ台を示す俯瞰図である。図３は、Ａ−Ａ面における断面図である。図２および図３に示すように、凸縁１２１は、弧形を呈し、テープ４０を収納部１２の中央部に配置し、テープ４０の回転能力および安定性を増加させ、テープ４０を自動的にテープカッター２０に向かい合わせる。テープ配置部１１は、上方、下方または後方に凸出したストッパー１３を端部に設けている。
ストッパー１３は、上端縁および下端縁にそれぞれ第１の凸縁１３１および第２の凸縁１３２を設けている。第１の凸縁１３１は、高さが第２の凸縁１３２より大きい。第１の凸縁１３１は、テープ４０がその重量のより収納部１２から離脱するのを防ぐため、所定の高さを有する。本体１０は、平面状またはビン底状の端部１６を端部に設けている。テープ台を使用しない場合、本体１０を立てると保存しやすい。
【００１３】
図１、図４および図５を参照して説明する。図４は、本考案のテープカッターを示す分解斜視図である。図５は、本考案のテープカッターを示す斜視図である。図４および図５に示すように、テープカッター２０は、薄刃状の刃２１およびカッターホルダー２２を含む。刃２１は、刃面がノコギリ状を呈しテープ４０を切断するのに用いられ、凸縁状を呈する第１の嵌合部２１１を有する。刃２１は、湾曲一体成形され、Ｎ字型を呈している。
カッターホルダー２２は、相互に枢接する二つの箱体にプラスチック成型され、ケース片側２２１を凸設し、第２の嵌合部２２２を凹設している。カッターホルダー２２は、蓋をすると刃２１を挟み込み、第１の嵌合部２１１を第２の嵌合部２２２に嵌合させ、刃２１を結合させる。カッターホルダー２２は、その後カッター配置部１４に配置される。
【００１４】
図１、図６〜９を参照して説明する。図６は、本考案のテープ台にテープを配置した状態を示す斜視図である。図７は、本考案のテープ台にテープを配置した状態を示す俯瞰図である。図８は、図７のＢ−Ｂ面における断面図である。図９は、図７のＣ−Ｃ面における断面図である。図６〜９に示すように、テープカッター２０は、カッター配置部１４に配置される。閉鎖体３０は、開口１５に固設される。テープ４０は、少々力を入れることにより収納部１２に配置される。
【００１５】
図１０および図１１を参照して説明する。図１０は、本考案の第２の実施形態によるテープ台を示す斜視図である。図１１は、本考案の第２の実施形態による刃を示す側面図である。図１０および図１１に示すように、ストッパー１３は、上向きで、第１の凸縁１３１しか有しない。端部１６(図７等を参照)は、延伸したグリップ１６１を有し、ユーザーが握ってテープ台を使用することができる。
刃２１は、Ｕ字型に湾曲し、弾性を有する弾力部２１３を設けている。弾力部２１３は、カッター配置部１４に嵌合されるか、本体１０の金型内に配置されて１０が成形されるとカッター配置部１４に結合されるかのどちらかである。
【００１６】
図１２を参照して説明する。図１２は、本考案の第３の実施形態によるテープ台を示す分解斜視図である。図１２に示すように、テープ配置部１１は、単一のデバイスである。本体１０は、凹状または凸状の第１の結合部１７を設けている。テープ配置部１１は、第１の結合部１７に固設されている。開口１５は、外周面にオ(雄)ネジを設け、閉鎖体３０(図６等を参照)を螺着させて開口１５を閉鎖する。
【００１７】
図１３を参照して説明する。図１３は、本考案の第４の実施形態によるテープ台を示す斜視図である。図１３に示すように、ストッパー１３は、突起がテープ配置部１１の端部の周りに設けられている。図３で示した第１の凸縁１３１、または突起を有するストッパー１３は、テープ配置部１１の端部の周りに設けられている。
【００１８】
図１４および図１５を参照して説明する。図１４は、本考案の第５の実施形態によるテープ台を示す斜視図である。図１５は、本考案の第５の実施形態による刃を示す側面図である。図１４および図１５に示すように、本体１０の収納部１２の前端に少なくとも一つの溝状のホルダー１８が設けられ、ストッパー５０を嵌合するのに用いられ、図１３で示したストッパー１３のような作用を有する。ストッパー５０は、図に示すように、ペン、はさみ、カッターナイフ、グルーなどの文房具またはその他の物でもよい。
ホルダー１８は、テープ４０を配置する形状に設計してもよい。開口１５は、本体１０の底部に設けられている。刃２１は、Ｕ字型に湾曲し、圧迫部２１２を設けている。テープカッター２０(図１等を参照)は、圧迫部２１２を嵌合する圧迫体２３を設けている。刃２１と圧迫体２３は、ともにカッター配置部１４(図１等を参照)内に嵌合されてもよいし、半田付け、粘着などの方法で結合されてからカッター配置部１４に配置されてもよい。
【００１９】
図１６および図１７を参照して説明する。図１６は、本考案の第６の実施形態によるテープ台を示す斜視図である。図１７は、本考案の第６の実施形態による刃を示す側面図である。図１６および図１７に示すように、収納部１２の凸縁１２１は、Ｖ字型またはＵ字型を呈し、テープ４０を収納部１２(図１等を参照)の中央部に配置することができる。本体１０は、テープのテープ幅選択部１３３を有し、ユーザーがテープ４０の規格の幅に合わせることができる。
テープ幅選択部１３３は、テープ配置部１１の端部か、その他の適切な位置に設けてもよい。刃２１は逆Ｎ字型またはＬ字型を呈している。テープカッター２０は、圧迫体２３を設けている。圧迫体２３は、刃２１に結合した後、カッター配置部１４に嵌合される。
【００２０】
図１８を参照して説明する。図１８は、本考案の第７の実施形態によるテープ台を示す斜視図である。図１８に示すように、収納部１２の凸縁１２１は、階段状を呈し、数種類の異なる幅を有し、異なる幅のテープ４０を配置するのに用いられる。
【００２１】
図１９を参照して説明する。図１９は、本考案の第８の実施形態によるテープ台を示す分解斜視図である。図１９に示すように、本実施形態は、二つの異なる構造の第１の嵌合リング６０を有する。一つは、Ｃ字型を呈し、一方の端部にストッパー６１を設け、収納部１２上に嵌合され、テープ４０を配置するのに用いられる。ストッパー６１は、テープ４０が離脱するのを防ぐことができる。
テープ４０は、規格において異なる内直径を有するが、第１の嵌合リング６０は、外直径に合わせることができ、異なる直径のテープ４０を配置する。第１の嵌合リング６０とテープ４０は、枢設し、第１の嵌合リング６０が回転できるようになっている。テープ４０は、第１の嵌合リング６０とともに回転するため、ユーザーは楽にテープ４０を取ることができる。もう一つの第１の嵌合リング６０の構造は、うず巻きばねでもよい。
【００２２】
図２０を参照して説明する。図２０は、本考案の第９の実施形態によるテープ台を示す斜視図である。図２０に示すように、本体１０とカッター配置部１４との間には、湾曲部１９が設けられている。湾曲部１９は、本体１０の長さを伸縮させて収納部１２とカッター配置部１４との距離を調節することができる。
【００２３】
図２１を参照して説明する。図２１は、本考案の第１０の実施形態によるテープ台を示す斜視図である。図２１に示すように、本体１０の底部には湾曲部１９が設けられている。湾曲部１９は、本体１０の高さを伸縮させる。ユーザーが不注意で本体１０を落としたとしても湾曲部１９はクッションの作用を果す。同様に収納部１２も湾曲部１９を設けて収納部１２の幅を広げることができる。
【００２４】
図２２を参照して説明する。図２２は、本考案の第１１の実施形態によるテープ台を示す斜視図である。図２２に示すように、本体１０は、一方の側面に物を置くことができる収納スペース７０を延伸するように設ける。
【００２５】
図２３を参照して説明する。図２３は、本考案の第１２の実施形態によるテープ台を示す分解斜視図である。図２３に示すように、カッター配置部１４は、単一のデバイスであり、複数の異なる構造で、交換して本体１０上に設けることができる。
【００２６】
図２４および図２５を参照して説明する。図２４は、本考案の第１３の実施形態によるテープ台を示す分解斜視図である。図２５は、本考案の第１３の実施形態によるテープ台を示す分視図である。図２４および図２５に示すように、本体１０は、二つの収納部１２を設けている。カッター配置部１４に近い収納部１２には、直径の小さいテープ４０が配置され、もう一つの収納部１２には、直径の大きいテープ４０が配置される。
【００２７】
図２６〜２８を参照して説明する。図２６は、本考案の第１４の実施形態によるテープ台を示す斜視図である。図２７は、本考案の第１４の実施形態によるテープ台を示す俯瞰図である。図２８は、本考案の第１４の実施形態によるテープ台を示す側面図である。図２６〜２８に示すように本体、１０は、両側にそれぞれテープ配置部１１およびカッター配置部１４を設けている。
テープ配置部１１(図１等を参照)は、テープ４０を配置している。カッター配置部１４は、斜角を有するため、刃２１(図４、５等を参照)は、テープ４０に対して斜角を呈している。
【００２８】
図２９を参照して説明する。図２９は、本考案の第１５の実施形態によるテープ台を示す斜視図である。図２９に示すように、本体１０は、両側にそれぞれテープ配置部１１を設けている。テープ配置部１１(図１等を参照)は、本体１０に対して上向きの角度を有する。
【００２９】
図３０を参照して説明する。図３０は、本考案の第１６の実施形態によるテープ台を示す分解斜視図である。図３０に示すように、本体１０は、複数の嵌合溝１９１を設けている。テープ配置部１１は、線状で湾曲されテープ配置部８０を形成している。テープ配置部８０は、湾曲されて複数の第１の嵌合部８１、収納部８２およびストッパー８３を設けている。第１の嵌合部８１は、本体１０の嵌合溝１９１に嵌合される。収納部８２は、テープ４０を配置するのに用いられる。ストッパー８３は、テープ４０が収納部８２から離脱するのを防ぐ。
【００３０】
図３１を参照して説明する。図３１は、本考案の第１７の実施形態によるテープ台を示す分解斜視図である。図３１に示すように、本考案のテープ台は、外側に広がり、内側に縮む弾性を有する環状の中間リング６２を設けている。第１の嵌合リング６０は、中間リング６２を介して収納部１２上に設けられる。そのため、第１の嵌合リング６０が収納部１２に嵌合されると、中間リング６２が第１の嵌合リング６０と収納部１２との間に配置される。
【００３１】
図３２を参照して説明する。図３２は、本考案の第１８の実施形態によるテープ台を示す斜視図である。図３２に示すように、カッター配置部１４は、刃２１を嵌合するのに用いる第１の凸部１４１および第２の凸部１４２を設けている。
【００３２】
図３３を参照して説明する。図３３は、本考案の第１９の実施形態によるテープ台を示す斜視図である。図３３に示すように、本体１０は、二つのカッター配置部１４をそれぞれ設けている。
【００３３】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００３４】
１０  本体
１１  テープ配置部
１２  収納部
１３  ストッパー
１４  カッター配置部
１５  開口
１６  端部
１７  第１の結合部
１８  ホルダー
１９  湾曲部
２０  テープカッター
２１  刃
２２  カッターホルダー
２３  圧迫体
３０  閉鎖体
４０  テープ
５０  ストッパー
６０  第１の嵌合リング
６１  ストッパー
６２  中間リング
７０  収納スペース
８０  テープ配置部
８１  第１の嵌合部
８２  収納部
８３  ストッパー
１２１  凸縁
１２２  垂直部
１３１  第１の凸縁
１３２  第２の凸縁
１３３  テープ幅選択部
１４１  第１の凸部
１４２  第２の凸部
１６１  グリップ
１９１  嵌合溝
２１１  第１の嵌合部
２１２  圧迫部
２１３  弾力部
２２１  ケース片側
２２２  第２の嵌合部
【図１】
0003193304.tif 000003
【図２】
0003193304.tif 000004
【図３】
0003193304.tif 000005
【図４】
0003193304.tif 000006
【図５】
0003193304.tif 000007
【図６】
0003193304.tif 000008
【図７】
0003193304.tif 000009
【図８】
0003193304.tif 000010
【図９】
0003193304.tif 000011
【図１０】
0003193304.tif 000012
【図１１】
0003193304.tif 000013
【図１２】
0003193304.tif 000014
【図１３】
0003193304.tif 000015
【図１４】
0003193304.tif 000016
【図１５】
0003193304.tif 000017
【図１６】
0003193304.tif 000018
【図１７】
0003193304.tif 000019
【図１８】
0003193304.tif 000020
【図１９】
0003193304.tif 000021
【図２０】
0003193304.tif 000022
【図２１】
0003193304.tif 000023
【図２２】
0003193304.tif 000024
【図２３】
0003193304.tif 000025
【図２４】
0003193304.tif 000026
【図２５】
0003193304.tif 000027
【図２６】
0003193304.tif 000028
【図２７】
0003193304.tif 000029
【図２８】
0003193304.tif 000030
【図２９】
0003193304.tif 000031
【図３０】
0003193304.tif 000032
【図３１】
0003193304.tif 000033
【図３２】
0003193304.tif 000034
【図３３】
0003193304.tif 000035